(57)【要約】
【課題】
滑らかな合成樹脂製の表面に鮮明な熱転写印刷が施された印材１、印章、ボタン等の小物類を提供する。
【解決手段】
　印材１、印章、ボタン等の小物類の滑らかな合成樹脂製の表面である被印刷面に、熱転写印刷の転写シート４を当て、その転写シートと金属加熱体６加熱面の間にフッ素系又はシリコーン系のゴム又は樹脂からなる低熱伝導性性耐熱弾性材５を配置し、その耐熱弾性材５を介てして転写シート４を被印刷面に密着圧接して加熱する。
【選択図】　　　　図２
0003099857.tif 000002
【実用新案登録請求の範囲】
【請求項１】
熱転写印刷が施されている滑らかな合成樹脂製の表面を有する印材、印章、ボタン等の小物類。
【請求項２】
熱転写印刷は、低熱伝導性耐熱弾性材を介してなされることを特徴とする請求項１記載の小物類。
【請求項３】
低熱伝導性耐熱弾性材は、フッ素系又はシリコーン系のゴム又は樹脂からなることを特徴とする請求項２記載の小物類。
【請求項４】
熱転写印刷は、熱昇華転写印刷であることを特徴とする請求項１ないし３のいずれか１つに記載の小物類。
【請求項５】
合成樹脂製の表面は、ポリエステル系樹脂からなることを特徴とする請求項４記載の小物類。
【請求項６】
小物類は、円柱体又は楕円柱体の印材又は印章であること特徴とする請求項１ないし５のいずれか１つに記載の小物類。
【請求項７】
小物類は、表面が中高状のボタンであること特徴とする請求項１ないし５のいずれか１つに記載の小物類。
【考案の詳細な説明】
【技術分野】
【０００１】
　本考案は、熱転写印刷が施された合成樹脂製の表面を有する印材、印章、ボタン等の小物類に関する。
【背景技術】
【０００２】
　滑らかな合成樹脂製の表面に熱転写印刷が施された食器、装飾器は市販されている。これらの熱転写印刷は、熱収縮性フィルムを介して合成樹脂製の表面に転写用シートを圧接すると共に加熱することにより施されたものが多い。
【０００３】
　しかし、滑らかな合成樹脂製の表面を有する印材、印章、ボタン等の小物類であって、その表面に熱転写印刷が施されたものは市販されていない。これは、小物類の被印刷面が小さいため、熱収縮性フィルムを介して熱転写印刷を施すと、印刷が不鮮明になり易いためである。
【特許文献１】特許第２９２０１８１号公報
【非特許文献１】監修：高橋恭介・入江正浩　「プリンター材料の開発 」シーエムシー１９９９年
【考案の開示】
【考案が解決しようとする課題】
【０００４】
　本考案は、上記問題を解決するためになされたものであり、その課題は、滑らかな合成樹脂製の表面を有する印材、印章、ボタン等の小物類であって、その表面に鮮明な熱転写印刷が施されたものを提供することにある。
【課題を解決するための手段】
【０００５】
　前記課題を解決するため、本考案が採用する手段は、印材、印章、ボタン等の小物類の滑らかな合成樹脂製の表面に、伝熱による鮮明な熱転写印刷を施すことである。被印刷面に当てた熱転写印刷の転写シートと金属加熱体の間にフッ素系又はシリコーン系のゴム又は樹脂の低熱伝導性耐熱弾性材を配置し、その耐熱弾性材を介てして転写シートを被印刷面に密着圧接して加熱する。被印刷面となる合成樹脂製の表面は、小物類固有のものに限る必要はなく、被覆等により付加されたものでもよい。
【考案の効果】
【０００６】
　上記の通り、本考案の印材、印章、ボタン等の小物類は、滑らかな合成樹脂製表面に鮮明な熱転写印刷が施されているから、小物類の付加価値が向上するという効果を奏する。また、顧客特注の写真、図形、文字等を印刷した小物類は、特注した顧客にとって格別な価値を有する。
【考案を実施するための最良の形態】
【０００７】
　印材、印章、ボタン等の滑らかな被印刷面は、熱転写印刷とのなじみ性の良いポリエステル系樹脂製とする。熱転写印刷は、色彩、鮮明度、滲透性、平滑性、耐剥離性の点で熱昇華転写印刷とし、昇華性インキにより転写用紙上に写真、図形、文字等を描いて転写シートを作成する。金属加熱体の加熱面は、被印刷面と同一又は類似の凹面とし、被印刷面と金属加熱体の間に配置する耐熱性弾性体は、厚さ０．５ｍｍ以上のフッ素系又はシリコーン系のゴム又は樹脂からなる低熱伝導性のものとする。
【０００８】
　小物類は小形のため、被印刷面と金属加熱体加熱面の間隙に部分的なむらが生じる。しかし、本考案のように、被印刷面に当てた転写シートと加熱面の間に低熱伝導性耐熱弾性材を配置し、その耐熱弾性材を介して転写シートを被印刷面に密着圧接して伝熱加熱すると、被印刷面と加熱面の部分的間隙むらは吸収され、均等な温度の加熱により鮮明な印刷が得られる。
　従来のように、小物類を熱収縮フィルムで被覆してオーブン加熱すると、被印刷面と転写シートの間に空隙が生じて密着むらが発生する。この密着むらが印刷に反映して印刷が不鮮明になる。
【実施例１】
【０００９】
　図１は実施例１の側面図、図２は実施例１の熱転写印刷を断面で示す略図である。
　図１に示すように、ポリエステル系樹脂からなる横断面円形の印材１は、側周面２に顔写真と名前を示すひらがな文字の熱転写印刷像３が施されている。
【００１０】
　図２に示すように、この熱転写印刷は、印材１の側周面２に転写シート４を当て、その転写シートの外側に厚さ１ｍｍのフッ素系樹脂製シート５を巻き付け、そのフッ素系樹脂製シート５を巻き付けた印材１を、上下２つの金属加熱体６の加熱面間に入れて約２５０゜Ｃ、１分間、圧接加熱する方法による。転写シート４は、転写用紙に予めパソコンの記憶媒体に記録しておいた顔写真と名前を示すひらがな文字を、パソコンと昇華インク内蔵インクジェット式プリンターを使用してプリントしたものである。
【００１１】
　金属加熱体６の加熱面は半柱状の凹面であり、転写シート４と金属体加熱面６の間隙を完全に埋めるフッ素系樹脂製シート５は弾性的に圧縮され、その弾性反発力で転写シート４を印材１の側周面２に圧接する。フッ素系樹脂製シート５は低熱伝導性であるから、転写シート４は伝導熱により均等な温度で加熱される。その結果、印材１の側周面２に鮮明な熱昇華転写印刷像３が現れる。
【００１２】
　実施例１の小物類は、横断面円形の印材であるが、本考案は、横断面が四角形又は楕円形の印材にも、刻字された印章にも適用される。
【実施例２】
【００１３】
　図３は実施例２の上面図、図４は実施例２の熱転写印刷を断面で示す略図である。
　図３に示すように、表面が中高円盤状のポリエステル系樹脂製ボタン７は、表面８に顔写真と名前を示すひらがな文字の熱転写印刷像９が施されている。
【００１４】
　図４に示すように、この熱転写印刷は、受け台１３上に置いたボタン７の表面８に転写シート１０を当て、その転写シートの外側に厚さ５ｍｍのシリコーンゴムシート１１を配置し、そのシリコーンゴムシート１１を金属加熱体１２の加熱面で約２００゜Ｃ、２分間、圧接加熱するする方法による。
【００１５】
　金属加熱面１２の加熱面は円盤状の凹面であり、転写シート１０と金属加熱体１２の間隙を完全に埋めるシリコーンゴムシート１１は弾性的に圧縮され、その弾性反発力で転写シート１０をボタン７の表面８に圧接する。シリコーンゴムシート１１は低熱伝導性であるから、転写シート１０は伝導熱により均等な温度で加熱される。その結果、ボタン７の表面８に鮮明な熱昇華転写印刷像９が現れる。
【００１６】
　実施例２の小物類は、中高円盤状のボタンであるが、本考案は、印材又は印章の中高な頭部にも適用される。
【図面の簡単な説明】
【００１７】
【図１】実施例１の側面図、
【図２】実施例１の熱転写印刷を断面で示す略図、
【図３】実施例２の上面図、
【図４】実施例２の熱転写印刷を断面で示す略図
【符号の説明】
【００１８】
１：印材
２：側周面
３：熱転写印刷像
４：転写シート
５：フッ素系樹脂製シート
６：金属加熱体
７：ボタン
８：表面
９：熱転写印刷像
１０：転写シート
１１：シリコーンゴムシート
１２：金属加熱体
１３：受け台
【図１】
0003099857.tif 000003
【図２】
0003099857.tif 000004
【図３】
0003099857.tif 000005
【図４】
0003099857.tif 000006